(57)【要約】【課題】電子機器に接続された送電装置の種別を適切に判定できるようにする。【解決手段】送電装置から供給される電力を受け取る第１の端子と、スイッチを介して抵抗と接続され得る第２の端子とを有するコネクタと、第２の端子を用いて送電装置の給電能力を判定する判定手段と、スイッチを閉状態から開状態に変化させる前に所定情報を記憶手段に記憶する処理手段とを有し、スイッチを閉状態から開状態に変化させてから所定時間が経過した際においても送電装置から第１の端子に電力が供給されている場合、送電装置が所定規格に準拠していないと判定し、所定情報を記憶手段から消去し、送電装置から第１の端子への電力の供給が再開された際に記憶手段に所定情報が記憶されている場合、送電装置が所定規格に準拠していると判定し、所定情報を記憶手段から消去する。【選択図】図１
2020067918.tif 000002
【特許請求の範囲】
【請求項１】
送電装置から供給される電力を受け取る第１の端子と、スイッチを介して抵抗と接続され得る第２の端子とを有するコネクタと、
前記第２の端子を用いて前記送電装置の給電能力を判定する判定手段と、
前記スイッチを閉状態から開状態に変化させる前に所定情報を記憶手段に記憶する処理手段と
を有し、
前記スイッチを閉状態から開状態に変化させてから所定時間が経過した際においても前記送電装置から前記第１の端子に電力が供給されている場合、前記判定手段は、前記送電装置が所定規格に準拠していないと判定し、前記処理手段は、前記所定情報を前記記憶手段から消去し、
前記送電装置から前記第１の端子への電力の供給が再開された際に前記記憶手段に前記所定情報が記憶されている場合、前記判定手段は、前記送電装置が所定規格に準拠していると判定し、前記処理手段は、前記所定情報を前記記憶手段から消去することを特徴とする電子機器。
【請求項２】
前記コネクタは、ＵＳＢ  Ｔｙｐｅ−Ｃ規格に準拠していることを特徴とする請求項１に記載の電子機器。
【請求項３】
前記第１の端子を介して前記送電装置から受け取る電力を制御する受電制御手段を更に有し、
前記送電装置から前記第１の端子への電力の供給が再開された際に前記記憶手段に前記所定情報が記憶されている場合、前記受電制御手段は、前記判定手段によって判定された給電能力に応じた第１の電力を前記送電装置から受け取るように制御することを特徴とする請求項１または２に記載の電子機器。
【請求項４】
前記スイッチを閉状態から開状態に変化させてから所定時間が経過した際においても前記送電装置から前記第１の端子に電力が供給されている場合、前記受電制御手段は、前記第１の電力より低い第２の電力を前記送電装置から受け取るように制御することを特徴とする請求項３に記載の電子機器。
【請求項５】
前記処理手段は、前記所定情報が正当な所定情報であるか否かを前記所定情報に含まれる時刻情報に基づいて判定することを特徴とする請求項１から４のいずれか１項に記載の電子機器。
【請求項６】
前記所定規格は、ＵＳＢ  Ｔｙｐｅ−Ｃ規格であることを特徴とする請求項１から５のいずれか１項に記載の電子機器。
【請求項７】
電子機器の制御方法であって、
コネクタの第１の端子に電力を供給する送電装置の給電能力を前記コネクタの第２の端子を用いて判定するステップと、
抵抗と前記第２の端子とを接続させ得るスイッチを閉状態から開状態に変化させる前に所定情報を記憶手段に記憶するステップと、
前記スイッチを閉状態から開状態に変化させてから所定時間が経過した際においても前記送電装置から前記第１の端子に電力が供給されている場合、前記送電装置が所定規格に準拠していないと判定し、前記所定情報を前記記憶手段から消去し、前記送電装置から前記第１の端子への電力の供給が再開された際に前記記憶手段に前記所定情報が記憶されている場合、前記送電装置が所定規格に準拠していると判定し、前記所定情報を前記記憶手段から消去するステップと
を有することを特徴とする制御方法。
【請求項８】
コンピュータに、
コネクタの第１の端子に電力を供給する送電装置の給電能力を前記コネクタの第２の端子を用いて判定するステップと、
抵抗と前記第２の端子とを接続させ得るスイッチを閉状態から開状態に変化させる前に所定情報を記憶手段に記憶するステップと、
前記スイッチを閉状態から開状態に変化させてから所定時間が経過した際においても前記送電装置から前記第１の端子に電力が供給されている場合、前記送電装置が所定規格に準拠していないと判定し、前記所定情報を前記記憶手段から消去し、前記送電装置から前記第１の端子への電力の供給が再開された際に前記記憶手段に前記所定情報が記憶されている場合、前記送電装置が所定規格に準拠していると判定し、前記所定情報を前記記憶手段から消去するステップ
とを実行させるためのプログラム。
【発明の詳細な説明】
【技術分野】
【０００１】
本発明は、電子機器およびその制御方法ならびにこれらに関連するプログラムに関するものである。
【背景技術】
【０００２】
特許文献１には、ＵＳＢを介して接続された電源機器の電力供給能力を判別する方法が記載されている。
【先行技術文献】
【特許文献】
【０００３】
【特許文献１】特開２０１４−５６２８７号公報
【発明の概要】
【発明が解決しようとする課題】
【０００４】
一方、ＵＳＢ（Ｕｎｉｖｅｒｓａｌ  Ｓｅｒｉａｌ  Ｂｕｓ）規格においては、ＵＳＢ  Ｔｙｐｅ−Ｃケーブル及びＵＳＢ  Ｔｙｐｅ−Ｃコネクタが規格化されている。ＵＳＢ  Ｔｙｐｅ−Ｃケーブルを介して受け取る電力により、デジタルカメラ等の電子機器に接続されているバッテリを充電することが知られている。ＵＳＢ  Ｔｙｐｅ−Ｃ規格によれば、接続された送電装置の給電能力をＣＣ（Ｃｏｎｆｉｇｕｒａｔｉｏｎ  Ｃｈａｎｎｅｌ）端子の電圧によって検出するとともに、送電装置から供給される電力を管理することができる。
【０００５】
以下、ＵＳＢ  Ｔｙｐｅ−Ｃ規格よりも前に規定されたＵＳＢ規格（ＵＳＢ３．０規格、ＵＳＢ２．０規格、ＵＳＢ  ＢＣ（Ｂａｔｔｅｒｙ  Ｃｈａｒｇｉｎｇ）１．２規格など）をレガシー規格と呼ぶ。レガシー規格によれば、送電装置の給電能力は、Ｄ＋端子およびＤ−端子を用いて検出可能である。そのため、ＵＳＢ  Ｔｙｐｅ−Ｃ規格とレガシー規格とでは、送電装置の給電能力の検出方法が異なる。
【０００６】
例えば、一方のコネクタがＵＳＢ  Ｔｙｐｅ−Ｃ規格のコネクタであり、他方のコネクタがレガシー規格のコネクタ（例えばＵＳＢ２．０の標準Ａコネクタ）であるようなＵＳＢ  Ｔｙｐｅ−Ｃ規格のケーブルが存在する。したがって、ＵＳＢ  Ｔｙｐｅ−Ｃケーブルが接続される電子機器は、接続された送電装置の種別（接続された送電装置が、ＵＳＢ  Ｔｙｐｅ−Ｃ規格に準拠した装置であるかレガシー規格に準拠した装置であるか）を適切に判定できるようにすることが求められている。
【０００７】
そこで、本発明は、電子機器に接続された送電装置の種別を適切に判定できるようにすることを目的とする。
【課題を解決するための手段】
【０００８】
本発明に係る電子機器は、送電装置から供給される電力を受け取る第１の端子と、スイッチを介して抵抗と接続され得る第２の端子とを有するコネクタと、前記第２の端子を用いて前記送電装置の給電能力を判定する判定手段と、前記スイッチを閉状態から開状態に変化させる前に所定情報を記憶手段に記憶する処理手段とを有し、前記スイッチを閉状態から開状態に変化させてから所定時間が経過した際においても前記送電装置から前記第１の端子に電力が供給されている場合、前記判定手段は、前記送電装置が所定規格に準拠していないと判定し、前記処理手段は、前記所定情報を前記記憶手段から消去し、前記送電装置から前記第１の端子への電力の供給が再開された際に前記記憶手段に前記所定情報が記憶されている場合、前記判定手段は、前記送電装置が所定規格に準拠していると判定し、前記処理手段は、前記所定情報を前記記憶手段から消去する。
【０００９】
本発明に係る制御方法は、電子機器の制御方法であって、コネクタの第１の端子に電力を供給する送電装置の給電能力を前記コネクタの第２の端子を用いて判定するステップと、抵抗と前記第２の端子とを接続させ得るスイッチを閉状態から開状態に変化させる前に所定情報を記憶手段に記憶するステップと、前記スイッチを閉状態から開状態に変化させてから所定時間が経過した際においても前記送電装置から前記第１の端子に電力が供給されている場合、前記送電装置が所定規格に準拠していないと判定し、前記所定情報を前記記憶手段から消去し、前記送電装置から前記第１の端子への電力の供給が再開された際に前記記憶手段に前記所定情報が記憶されている場合、前記送電装置が所定規格に準拠していると判定し、前記所定情報を前記記憶手段から消去するステップとを有する。
【００１０】
本発明に係るプログラムは、コンピュータに、コネクタの第１の端子に電力を供給する送電装置の給電能力を前記コネクタの第２の端子を用いて判定するステップと、抵抗とて前記第２の端子とを接続させ得るスイッチを閉状態から開状態に変化させる前に所定情報を記憶手段に記憶するステップと、前記スイッチを閉状態から開状態に変化させてから所定時間が経過した際においても前記送電装置から前記第１の端子に電力が供給されている場合、前記送電装置が所定規格に準拠していないと判定し、前記所定情報を前記記憶手段から消去し、前記送電装置から前記第１の端子への電力の供給が再開された際に前記記憶手段に前記所定情報が記憶されている場合、前記送電装置が所定規格に準拠していると判定し、前記所定情報を前記記憶手段から消去するステップとを実行させる。
【発明の効果】
【００１１】
本発明によれば、電子機器に接続された送電装置の種別を適切に判定することができる。
【図面の簡単な説明】
【００１２】
【図１】実施形態１における電子機器１００の構成要素の一例を説明するためのブロック図である。
【図２Ａ】接続ケーブル１３０Ａおよび送電装置１２０Ａの構成要素の一例を説明するためのブロック図である。
【図２Ｂ】接続ケーブル１３０Ｂおよび送電装置１２０Ｂの構成要素の一例を説明するためのブロック図である。
【図３Ａ】電子機器１００および送電装置１２０Ａで行われる処理の例を説明するためのフローチャートである。
【図３Ｂ】電子機器１００および送電装置１２０Ｂで行われる処理の例を説明するためのフローチャートである。
【図４Ａ】図２Ａに示すような接続例におけるタイミングチャートである。
【図４Ｂ】図２Ｂに示すような接続例におけるタイミングチャートである。
【図５】コネクタ１０１のピン配置を説明するための図である。
【発明を実施するための形態】
【００１３】
以下、図面を参照して本発明の実施形態を説明する。ただし、本発明は以下の実施形態に限定されるものではない。以下の実施形態では、ＵＳＢ  Ｔｙｐｅ−Ｃ規格よりも前に規定されたＵＳＢ規格（ＵＳＢ３．０規格、ＵＳＢ２．０規格、ＵＳＢ  ＢＣ（Ｂａｔｔｅｒｙ  Ｃｈａｒｇｉｎｇ）１．２規格など）をレガシー規格と呼ぶ。
【００１４】
［実施形態１］
図１は、実施形態１における電子機器１００の構成要素の一例を説明するためのブロック図である。図１には、電子機器１００の構成要素だけでなく、電子機器１００に接続される送電装置１２０と、電子機器１００と送電装置１２０とを接続する接続ケーブル１３０とが示されている。
【００１５】
電子機器１００は、コネクタ１０１と、受電制御部１０２と、電源制御部１０３と、システム制御部１０４と、記憶部１０５と、時間管理部１０６と、ＵＩ（ユーザインターフェース）部１０７と、通知部１０８と、スイッチ１０９と、抵抗器１１０とを有する。なお、電子機器１００の構成要素は、これらの構成要素に限るものではない。
【００１６】
コネクタ１０１は、接続ケーブル１３０を介して電子機器１００を送電装置１２０に接続する接続部である。コネクタ１０１を介して送電装置１２０から電子機器１００に電力が供給される。また、コネクタ１０１を介して電子機器１００と送電装置１２０との間で通信が行われる。コネクタ１０１の第１の端子には、ＶＢＵＳライン１１１（電力供給線）が接続されている。コネクタ１０１の第２の端子には、通信線１１３が接続されている。コネクタ１０１の第３の端子には、ＣＣ（Ｃｏｎｆｉｇｕｒａｔｉｏｎ  Ｃｈａｎｎｅｌ）ライン１１２（供給能力通知線）が接続されている。コネクタ１０１がＵＳＢ  Ｔｙｐｅ−Ｃ規格に準拠している場合、コネクタ１０１の第１の端子は例えばＶＢＵＳ端子である。コネクタ１０１がＵＳＢ  Ｔｙｐｅ−Ｃ規格に準拠している場合、コネクタ１０１の第２の端子は例えばＤ＋端子、Ｄ−端子などを含む。コネクタ１０１がＵＳＢ  Ｔｙｐｅ−Ｃ規格に準拠している場合、コネクタ１０１の第３の端子は例えばＣＣ（Ｃｏｎｆｉｇｕｒａｔｉｏｎ  Ｃｈａｎｎｅｌ）端子を含む。
【００１７】
コネクタ１０１がＵＳＢ  Ｔｙｐｅ−Ｃ規格に準拠している場合、コネクタ１０１は、図５に示すようなピン配置を有する。図５は、コネクタ１０１のピン配置を説明するための図である。コネクタ１０１は、点対称なピン配置となっている。コネクタ１０１は、少なくとも、ＶＢＵＳ端子、ＧＮＤ（グラウンド）端子、ＣＣ端子、Ｄ＋端子、Ｄ−端子などを有する。送電装置２００から電子機器１００への電力供給は、ＶＢＵＳ端子を介して行われる。送電装置２００の給電能力を示す電圧は、ＣＣ端子に印加される。ＵＳＢ２．０規格に準拠した通信は、Ｄ＋端子およびＤ−端子を介して行われる。送電装置２００がレガシー規格に準拠した電子機器である場合、送電装置２００の種別は、Ｄ＋端子およびＤ−端子を介して判定される。ＧＮＤ端子は、接地ラインに接続される。
【００１８】
受電制御部１０２は、送電装置１２０から供給される電力を電源制御部１０３に供給する。また、受電制御部１０２は、送電装置１２０から供給される電力の大きさが適切でない場合に、電源制御部１０３に対する電力の供給を停止することができる。
【００１９】
電源制御部１０３は、電子機器１００を動作させるために必要な電力を電子機器１００の各構成要素に供給する。電源制御部１０３は、システム制御部１０４から供給される制御信号に基づいて、電子機器１００の各構成要素に電力を供給する。また、電源制御部１０３は、ＵＩ部１０７に対して行われるユーザによる操作に基づいて、電子機器１００の各構成要素に電力を供給する。電源制御部１０３は、複数種の電圧変換器を有し、複数種の電圧を電子機器１００の構成要素に供給することができる。電圧変換器としては、例えば、ＤＣ／ＤＣコンバータ、リニアレギュレータなどが挙げられる。
【００２０】
システム制御部１０４は、電子機器１００の構成要素を制御するためのプログラムを記憶しているメモリと、当該メモリが記憶しているプログラムを実行することにより電子機器１００の構成要素を制御するプロセッサ（例えばハードウェアプロセッサ）とを有する。システム制御部１０４はさらに、通信インターフェースを有する。システム制御部１０４は、送電装置１２０からの電力供給があるか否かを検出することができる。例えば、システム制御部１０４は、送電装置１２０からＶＢＵＳライン１１１に電圧が印加されたことを検出することができる。システム制御部１０４は、受電制御部１０２によって受け取られる電力を変更するための信号を受電制御部１０２に送信することにより、送電装置１２０から受け取る電力を変更または調整することもできる。
【００２１】
ＵＩ部１０７は、ユーザからの指示を受け付ける。ＵＩ部１０７は、ハードウェアで構成されたユーザインターフェースと、ソフトウェアで構成されたユーザインターフェースとを有する。例えば、ＵＩ部１０７は、電子機器１００の電源状態をオンまたはオフにするためのハードウェアまたはソフトウェアで構成された電源スイッチなどを含む。
【００２２】
通知部１０８は、ユーザに対して所定の通知を行う。例えば、電子機器１００の状態が通知部１０８を用いて通知される。通知部１０８としては、例えば、視覚的に通知を行うための表示装置が挙げられるが、これに限定されるものではない。例えば、聴覚的に通知を行うためのスピーカなどによって通知部１０８を構成するようにしてもよい。
【００２３】
記憶部１０５は、不揮発性メモリなどを有する。記憶部１０５には、ユーザによって行われた設定を示す情報が格納される。システム制御部１０４は、記憶部１０５に情報（所定情報など）を書き込んだり、記憶部１０５から情報（所定情報など）を読み出したり、記憶部１０５から情報（所定情報など）を消去したりすることができる。
【００２４】
時間管理部１０６は、計時を行うことができる。時間管理部１０６は、リアルタイムクロック（ＲＴＣ）などを有する。システム制御部１０４は、必要なタイミングで、時間管理部１０６から時刻情報を取得することができる。また、電子機器１００に対する給電が停止された際にも計時を行うことができるように、時間管理部１０６は、バックアップ電源を有する。なお、送電装置１２０から電子機器１００に電力が供給されている際には、バックアップ電源の電力消費を避けるため、電源制御部１０３から時間管理部１０６に電力が供給される。バックアップ電源が充電可能な電池である場合には、電源制御部１０３がバックアップ電源を充電することができる。
【００２５】
コネクタ１０１の第３の端子は、ＣＣライン１１２を介してシステム制御部１０４に接続されている。ＣＣライン１１２には、抵抗器１１０の一端が接続されている。抵抗器１１０の他端は、接地ラインに接続される。抵抗器１１０は、例えばプルダウン抵抗である。抵抗器１１０の一端とＣＣライン１１２とが接続されるノードは、スイッチ１０９とシステム制御部１０４との間に位置している。抵抗器１１０は、スイッチ１０９を介してコネクタ１０１の第３の端子に接続可能である。スイッチ１０９を開状態（オープン状態）にすると、コネクタ１０１の第３の端子は、システム制御部１０４及び抵抗１１０から電気的に分離される。スイッチ１０９を閉状態（ショート状態）にすると、コネクタ１０１の第３の端子は、システム制御部１０４および抵抗１１０に電気的に接続される。システム制御部１０４は、抵抗器１１０の一端の電圧を監視する。例えば、図２Ａに示すように、送電装置１２０Ａが電子機器１００に接続されると共にスイッチ１０９が閉状態になると、抵抗器２０２（プルアップ抵抗）がＣＣライン２０４に接続されているため、ＣＣライン１１２および２０４の電圧が中間電圧となる。これにより、システム制御部１０４は、送電装置１２０の一例である送電装置１２０Ａが接続されたことを、ＣＣライン１１２の電圧に基づいて検出することができる。送電装置１２０Ａも、電子機器１００が接続されたことを、ＣＣライン２０４の電圧に基づいて検出することができる。例えば、ＵＳＢ  Ｔｙｐｅ−Ｃ規格においては、プルアップ抵抗である抵抗器２０２の抵抗値は、送電装置１２０の給電能力に応じて設定される。このため、システム制御部１０４は、ＣＣライン１１２の電圧に基づいて送電装置１２０の給電能力を判定することができる。
【００２６】
送電装置１２０は、電子機器１００に電力を供給することができる。送電装置１２０は、不図示の商用電源などから供給される電力を用いて、電子機器１００に適した電圧を生成し、生成した電圧を電子機器１００に供給する。送電装置１２０としては、例えば、ＵＳＢポートが搭載されたＡＣアダプタなどが挙げられる。また、送電装置１２０として、例えば、ＰＣ（パーソナルコンピュータ）のＵＳＢ端子などが挙げられる。
【００２７】
接続ケーブル１３０は、電子機器１００と送電装置１２０とを接続するケーブル。接続ケーブル１３０としては、例えば、ＵＳＢケーブルが挙げられる。ＵＳＢケーブルは、電子機器１００と送電装置１２０との間で電力供給およびデータ通信を行うことができる。
【００２８】
図２Ａには、電子機器１００と、接続ケーブル１３０の一例である接続ケーブル１３０Ａと、送電装置１２０の一例である送電装置１２０Ａとが示されている。図２Ａに示すように、電子機器１００と送電装置１２０Ａとは、接続ケーブル１３０Ａを介して接続される。送電装置１２０Ａのコネクタ２０５と、電子機器１００のコネクタ１０１とは、例えば、いずれもＵＳＢ  Ｔｙｐｅ−Ｃ規格に準拠したレセプタクルである。接続ケーブル１３０Ａのコネクタ２１３および２１４は、例えば、ＵＳＢ  Ｔｙｐｅ−Ｃ規格に準拠したプラグである。
【００２９】
送電装置１２０Ａは、電源回路２０１と、抵抗器２０２と、ＶＢＵＳライン２０３と、ＣＣライン２０４と、コネクタ２０５とを有する。なお、送電装置１２０Ａの構成要素は、これらの構成要素に限るものではない。
【００３０】
電源回路２０１は、不図示の商用電源などから供給される電力を用いて、電子機器１００に適した電圧を生成し、生成した電圧を出力することができる。電源回路２０１から出力される電力は、ＶＢＵＳライン２０３を介してコネクタ２０５の第１の端子に供給され得る。コネクタ２０５が例えばＵＳＢ  Ｔｙｐｅ−Ｃ規格に準拠したコネクタである場合、コネクタ２０５の第１の端子は例えばＶＢＵＳ端子である。コネクタ２０５が例えばＵＳＢ  Ｔｙｐｅ−Ｃ規格に準拠したコネクタである場合、電源回路２０１によってＶＢＵＳ電圧（例えば５Ｖ）が生成され、生成されたＶＢＵＳ電圧は、ＶＢＵＳライン２０３を介してコネクタ２０５の第１の端子に供給される。
【００３１】
抵抗器２０２は、ＣＣライン２０４を介してコネクタ２０５の第２の端子に接続されている。コネクタ２０５が例えばＵＳＢ  Ｔｙｐｅ−Ｃ規格に準拠したコネクタである場合、コネクタ２０５の第２の端子は例えばＣＣ端子である。上述したように、抵抗器２０２は、例えばプルアップ抵抗である。抵抗器２０２の一端は例えば電源回路２０１にプルアップされており、抵抗器２０２の他端は例えばＣＣライン２０４を介してコネクタ２０５の第２の端子に接続されている。従って、上述したように、電子機器１００と送電装置１２０Ａとが接続ケーブル１３０Ａを介して互いに接続されるとともに、スイッチ１０９がオン状態になっていると、ＣＣライン１１２および２０４の電圧は中間電圧となる。このため、電子機器１００と送電装置１２０とが互いに接続されたことが、ＣＣライン１１２および２０４の電圧に基づいて検出され得る。上述したように、例えば、ＵＳＢ  Ｔｙｐｅ−Ｃ規格においては、送電側の抵抗器２０２であるプルアップ抵抗の抵抗値が、送電装置１２０の給電能力に応じて設定される。このため、上述したように、システム制御部１０４は、ＣＣライン１１２の電圧に基づいて送電装置１２０の給電能力を判定することができる。
【００３２】
送電装置１２０ＡがＵＳＢ  Ｔｙｐｅ−Ｃ規格に対応した機器である場合、電源回路２０１は、常にＶＢＵＳライン２０３に電力を供給するというわけではない。送電装置１２０ＡがＵＳＢ  Ｔｙｐｅ−Ｃ規格に対応した機器である場合、電子機器１００が接続されたことを検出すると、送電装置１２０Ａは、ＵＳＢ  Ｔｙｐｅ−Ｃ規格において定められた所定時間内に電子機器１００への電力の供給を開始する。
【００３３】
接続ケーブル１３０Ａは、コネクタ２１３と、ＶＢＵＳライン２１１と、ＣＣライン２１２と、コネクタ２１４とを有する。なお、接続ケーブル１３０Ａの構成要素は、これらの構成要素に限るものではない。
【００３４】
接続ケーブル１３０Ａのコネクタ２１３は、送電装置１２０Ａのコネクタ２０５と接続可能である。接続ケーブル１３０Ａのコネクタ２１４は、電子機器１００のコネクタ１０１と接続可能である。送電装置１２０Ａのコネクタ２０５と接続ケーブル１３０Ａのコネクタ２１３とを接続すると、送電装置１２０ＡのＶＢＵＳライン２０３と接続ケーブル１３０ＡのＶＢＵＳライン２１１とが電気的に接続される。また、送電装置１２０Ａのコネクタ２０５と接続ケーブル１３０Ａのコネクタ２１３とを接続すると、送電装置１２０ＡのＣＣライン２０４と接続ケーブル１３０ＡのＣＣライン２１２とが電気的に接続される。接続ケーブル１３０Ａのコネクタ２１４と電子機器１００のコネクタ１０１とを接続すると、接続ケーブル１３０ＡのＶＢＵＳライン２１１と電子機器１００のＶＢＵＳライン１１１とが電気的に接続される。また、接続ケーブル１３０Ａのコネクタ２１４と電子機器１００のコネクタ１０１とを接続すると、接続ケーブル１３０ＡのＣＣライン２１２と電子機器１００のＣＣライン１１２とが電気的に接続される。
【００３５】
図２Ａに示す例においては、接続ケーブル１３０Ａのコネクタ２１３および２１４がいずれもＵＳＢ  Ｔｙｐｅ−Ｃ規格のコネクタであるため、以下のようにすることも可能である。例えば、接続ケーブル１３０Ａのコネクタ２１３を電子機器１００のコネクタ１０１と接続し、接続ケーブル１３０Ａのコネクタ２１４を送電装置１２０Ａのコネクタ２０５と接続することも可能である。
【００３６】
送電装置１２０ＡがＵＳＢ  Ｔｙｐｅ−Ｃ規格に対応した機器である場合、送電装置１２０Ａは、ＣＣライン２０４を監視し、電子機器１００が接続されたか否かをＣＣライン２０４の電圧に基づいて判定する。そして、電子機器１００が接続されたと判定した場合には、送電装置１２０Ａは、電子機器１００に対して電力の供給を開始する。また、送電装置１２０Ａは、電子機器１００の接続が解除されたか否かをＣＣライン２０４の電圧に基づいて判定する。そして、電子機器１００との接続が解除されたと判定した場合には、送電装置１２０Ａは、電子機器１００に対する電力の供給を停止する。
【００３７】
図２Ｂには、電子機器１００と、接続ケーブル１３０の一例である接続ケーブル１３０Ｂと送電装置１２０の一例である、送電装置１２０Ｂとが示されている。図２Ｂに示すように、電子機器１００と送電装置１２０Ｂとは、接続ケーブル１３０Ｂを介して接続される。送電装置１２０Ｂのコネクタ２２３は、例えば、ＵＳＢ  Ｔｙｐｅ−Ａレセプタクルである。接続ケーブル１３０Ｂのコネクタ２３４は、例えば、ＵＳＢ  Ｔｙｐｅ−Ａプラグである。接続ケーブル１３０Ｂのコネクタ２３５は、例えば、ＵＳＢ  Ｔｙｐｅ−Ｃ規格に準拠したプラグである。電子機器１００のコネクタ１０１は、例えば、ＵＳＢ  Ｔｙｐｅ−Ｃ規格に準拠したレセプタクルである。
【００３８】
送電装置１２０Ａが有するコネクタ２０５と、接続ケーブル１３０Ｂが有するコネクタ２３４とは、形状が相違しているため、接続できない。このため、送電装置１２０Ａと接続ケーブル１３０Ｂとは、接続できない。また、送電装置１２０Ｂが有するコネクタ２２３と、接続ケーブル１３０Ａが有するコネクタ２１３とは、形状が相違しているため、接続できない。このため、送電装置１２０Ｂと接続ケーブル１３０Ａとは、接続できない。
【００３９】
送電装置１２０Ｂは、電源回路２２１と、ＶＢＵＳライン２２２と、コネクタ２２３とを有する。なお、送電装置１２０Ｂの構成要素は、これらの構成要素に限るものではない。
【００４０】
電源回路２２１は、図２Ａを用いて上述した送電装置１２０Ａの電源回路２０１と同様に、不図示の商用電源などから供給される電力を用いて、電子機器１００に適した電圧を生成し、生成した電圧を出力することができる。電源回路２２１から出力される電力は、ＶＢＵＳライン２２２を介してコネクタ２２３の第１の端子に供給される。コネクタ２２３が例えばＵＳＢ  Ｔｙｐｅ−Ａ規格に準拠したコネクタである場合、電源回路２２１によってＶＢＵＳ電圧（例えば５Ｖ）が生成され、生成されたＶＢＵＳ電圧はＶＢＵＳライン２２２を介してコネクタ２２３の第１の端子に供給される。
【００４１】
接続ケーブル１３０Ｂは、コネクタ２３４と、ＶＢＵＳライン２３１と、抵抗器２３２（ケーブル内抵抗器）と、ＣＣライン２３３と、コネクタ２３５とを有する。なお、接続ケーブル１３０Ａの構成要素は、これらの構成要素に限るものではない。
【００４２】
抵抗器２３２の一端はＶＢＵＳライン２３１に接続されており、抵抗器２３２の他端はＣＣライン２３３を介してコネクタ２３５の第２の端子に接続されている。接続ケーブル１３０Ｂのコネクタ２３４は、送電装置１２０Ｂのコネクタ２２３と接続可能である。接続ケーブル１３０Ｂのコネクタ２３５は、電子機器１００のコネクタ１０１と接続可能である。送電装置１２０Ｂのコネクタ２２３と接続ケーブル１３０Ｂのコネクタ２３４とを接続すると、接続ケーブル１３０ＢのＶＢＵＳライン２３１と送電装置１２０ＢのＶＢＵＳライン２２２とが電気的に接続される。接続ケーブル１３０Ｂのコネクタ２３５と電子機器１００のコネクタ１０１とを接続すると、接続ケーブル１３０ＢのＶＢＵＳライン２３１と電子機器１００のＶＢＵＳライン１１１とが電気的に接続される。また、接続ケーブル１３０Ｂのコネクタ２３５と電子機器１００のコネクタ１０１とを接続すると、接続ケーブル１３０ＢのＣＣライン２３３と電子機器１００のＣＣライン１１２とが電気的に接続される。
【００４３】
送電装置１２０Ｂのコネクタ２２３と接続ケーブル１３０Ｂのコネクタ２３４とが接続されると、抵抗器２３２の一端は、ＶＢＵＳライン２３１、コネクタ２３４、コネクタ２２３およびＶＢＵＳライン２２２を介して、電源回路２２１に接続される。このため、送電装置１２０Ｂのコネクタ２２３と接続ケーブル１３０Ｂのコネクタ２３４とが接続された際には、電源回路２２１から出力される電圧が、抵抗器２３２の一端に供給される。
【００４４】
上述したように、接続ケーブル１３０Ｂのコネクタ２３４は、例えば、ＵＳＢ  Ｔｙｐｅ−Ａプラグである。また、上述したように、接続ケーブル１３０Ｂのコネクタ２３５は、例えば、ＵＳＢ  Ｔｙｐｅ−Ｃ規格に準拠したプラグである。接続ケーブル１３０Ｂは、互いに異なった規格に準拠したコネクタであるコネクタ２３４およびコネクタ２３５を有するケーブル（変換ケーブル）である。送電装置１２０Ｂは、ＣＣライン２３３の監視を行わず、ＶＢＵＳライン２３１に電力を供給する状態を維持する。
【００４５】
図３Ａは、図２Ａに示すような接続が行われた場合に電子機器１００および送電装置１２０Ａで行われる処理の例を示している。図３Ｂは、図２Ｂに示すような接続が行われた場合に電子機器１００および送電装置１２０Ｂで行われる処理の例を示している。図３Ａに示す処理３００Ａが開始される際にも図３Ｂに示す処理３００Ｂが開始される際にも、電子機器１００は送電装置１２０Ａおよび１２０Ｂに接続されていない。また、送電装置１２０Ａおよび１２０Ｂには商用電源などから電力が供給されている。電子機器１００と送電装置１２０Ａまたは送電装置１２０Ｂとが接続ケーブル１３０を介して接続されると、電子機器１００と送電装置１２０Ａまたは送電装置１２０Ｂとの接続が確立する。
【００４６】
まず、図３Ａを参照して、電子機器１００および送電装置１２０Ａで行われる処理３００Ａを説明する。
【００４７】
ステップＳ３０１において、送電装置１２０Ａと電子機器１００とが接続ケーブル１３０Ａを介して接続される。この後、処理３００ＡはステップＳ３０２に進む。
【００４８】
ステップＳ３０２において、送電装置１２０Ａは、ＣＣライン２０４の電圧が所定範囲内であるか否かを判定する。なお、送電装置１２０Ａは、ＣＣライン２０４の電圧を常に監視している。ＣＣライン２０４の電圧が所定範囲内である場合、送電装置１２０Ａは、電子機器１００が接続されたと判定する（ステップＳ３０２でＹＥＳ）。この場合、処理３００ＡはステップＳ３０３に進む。ＣＣライン２０４の電圧が所定範囲内でない場合、送電装置１２０Ａは、電子機器１００が接続されていないと判定する（ステップＳ３０２でＮＯ）。この場合、処理３００ＡはステップＳ３０２を繰り返す。
【００４９】
ステップＳ３０３において、送電装置１２０Ａの電源回路２０１は、ＶＢＵＳライン２０３への電力の供給を開始する。これにより、送電装置１２０Ａから電子機器１００への電力の供給が開始される。例えば、ＵＳＢ  Ｔｙｐｅ−Ｃ規格においては、ＣＣライン２０４の電圧が所定範囲内になってから２７５ｍｓｅｃ以内に、ＶＢＵＳライン２０３に所定の電圧の印加を開始することが規定されている。この後、処理３００ＡはステップＳ３０４およびステップＳ３０５に進む。
【００５０】
ステップＳ３０４において、送電装置１２０Ａは、ＶＢＵＳライン２０３への電力の供給を継続する。この後、処理３００ＡはステップＳ３１２に進む。
【００５１】
ステップＳ３０５において、電子機器１００は、送電装置１２０Ａから供給される電力の受け取りを開始する。この後、処理３００ＡはステップＳ３０６に進む。
【００５２】
ステップＳ３０６において、システム制御部１０４は、ＣＣライン１１２の電圧を検出する。この後、処理３００ＡはステップＳ３０７に進む。
【００５３】
ステップＳ３０７において、システム制御部１０４は、所定情報を記憶部１０５から読み出す。所定情報は、スイッチ１０９を閉状態から開状態に変更するステップＳ３１０の前に行われるステップＳ３０９において、記憶部１０５に記憶される情報である。所定情報は、電子機器１００に接続された送電装置１２０の種別を判定するために用いられる。記憶部１０５は、所定情報が記憶される所定の領域を有する。
【００５４】
記憶部１０５から所定情報が読み出されなかった場合（例えば、記憶部１０５に所定情報が記憶されていない場合）、処理３００ＡはステップＳ３０９に進む（ステップＳ３０８でＮＯ）。一方、記憶部１０５から所定情報が読み出された場合（例えば、記憶部１０５に所定情報が記憶されている場合）、処理３００ＡはステップＳ３１７に進む（ステップＳ３０８でＹＥＳ）。
【００５５】
ステップＳ３０９において、システム制御部１０４は、所定情報を記憶部１０５に書き込む。ここで、所定情報は、ＣＣライン１１２によって通知された送電装置１２０Ａの給電能力を示す給電能力情報と、所定情報を記憶部１０５に書き込む処理を開始した時刻を示す時刻情報とを含む。なお、システム制御部１０４は、このような時刻情報を時間管理部１０６から取得することができる。この後、処理３００ＡはステップＳ３１０に進む。
【００５６】
ステップＳ３１０において、システム制御部１０４は、スイッチ１０９を例えば閉状態から開状態に変化させることにより、ＣＣライン１１２および２０４の電圧を変化させる。システム制御部１０４からスイッチ１０９に供給されている信号が例えばＬレベルの際には、スイッチ１０９は閉状態となっている。システム制御部１０４から例えばＨレベルの信号がスイッチ１０９に供給されると、スイッチ１０９は開状態となる。送電装置１２０Ａの抵抗器２０２の抵抗値は例えば１０ｋΩであり、電子機器１００の抵抗器１１０の抵抗値は例えば５．１ｋΩである。送電装置１２０Ａの抵抗器２０２は例えば５Ｖにプルアップされており、電子機器１００の抵抗器１１０は例えば接地電圧（接地ラインの電圧に相当）にプルダウンされている。システム制御部１０４からスイッチ１０９に供給される信号がＬレベルからＨレベルに変化すると、スイッチ１０９が閉状態になり、ＣＣライン１１２および２０４の電圧は１．６９Ｖから５Ｖに変化する。なお、システム制御部１０４からスイッチ１０９に供給される信号を接地電圧にプルダウンしておけば、システム制御部１０４が動作していない際には、Ｌレベルの信号がスイッチ１０９に供給される。このように、ステップＳ３１０においては、スイッチ１０９を閉状態から開状態に変化させる。これにより、送電装置１２０Ａと電子機器１００との間の接続が解除されたことが、送電装置１２０Ａによって判定される。この後、処理３００ＡはステップＳ３１１およびステップＳ３１２に進む。ステップＳ３１１とステップＳ３１２とは並行して実行される。
【００５７】
ステップＳ３１１において、電子機器１００は、所定時間のウェイトを行う。例えば、ＵＳＢ  Ｔｙｐｅ−Ｃ規格においては、ＣＣライン２０４の電圧が５Ｖになってから６５０ｍｓｅｃ以内にＶＢＵＳライン２０３への電力供給を停止することが規定されている。ステップＳ３１１におけるウェイト時間は、例えば６５０ｍｓｅｃより長く設定される。
【００５８】
ステップＳ３１２において、送電装置１２０Ａは、ＣＣライン２０４の電圧が所定範囲内であるか否かを判定する。具体的には、送電装置１２０Ａは、ＣＣライン２０４の電圧が、送電装置１２０Ａと電子機器１００との間の接続が解除された際の電圧に対応しているか否かを判定する。ＣＣライン２０４の電圧が所定範囲内である場合、処理３００ＡはステップＳ３１３に進む（ステップＳ３１２でＹＥＳ）。ＣＣライン２０４の電圧が所定範囲内でない場合、処理３００ＡはステップＳ３０４に戻る（ステップＳ３１２でＮＯ）。
【００５９】
ステップＳ３１３において、送電装置１２０Ａは、ＶＢＵＳライン２０３への電力の供給が停止されるように電源回路２０１を制御する。この後、処理３００ＡはステップＳ３１４に進む。
【００６０】
ステップＳ３１４において、システム制御部１０４は、ＶＢＵＳライン１１１に送電装置１２０Ａから電力が供給されているか否かを判定する。送電装置１２０ＡがＵＳＢ  Ｔｙｐｅ−Ｃ規格に準拠する機器である場合、電子機器１００への電力の供給は停止されている。ＶＢＵＳライン１１１に送電装置１２０Ａから電力が供給されていない場合、処理３００ＡはステップＳ３１５に進む（ステップＳ３１４でＮＯ）。送電装置１２０ＡがＵＳＢ  Ｔｙｐｅ−Ｃ規格に準拠しない機器である場合、電子機器１００への電力供給は停止されていない。ＶＢＵＳライン１１１に送電装置１２０Ａから電力が供給されている場合、処理３００ＡはステップＳ３２０に進む（ステップＳ３１４でＹＥＳ）。
【００６１】
ステップＳ３１５において、電子機器１００は、その動作を停止する。この後、処理３００ＡはステップＳ３１６に進む。
【００６２】
ステップＳ３１６において、スイッチ１０９は開状態から閉状態になるように制御される。これにより、電子機器１００と送電装置１２０Ａとの接続状態は、ステップＳ３０１における電子機器１００と送電装置１２０Ａとの接続状態と同様となる。この後、ステップＳ３０２以降の動作が繰り返される。２度目のステップＳ３０８が実行される際においては、１度目のステップＳ３０９において書き込まれた所定情報が記憶部１０５に存在している。このため、２度目のステップＳ３０８においては、記憶部１０５に所定情報が記憶されていると判定され、処理３００ＡはステップＳ３１７に進む（ステップＳ３０８でＹＥＳ）。
【００６３】
ステップＳ３１７において、システム制御部１０４は、記憶部１０５に記憶されている所定情報が正当な所定情報であるか否かを判定する。上述したように、記憶部１０５には、所定情報（給電能力情報、時刻情報などを含む）が記憶される。かかる時刻情報は、所定情報を記憶部１０５に書き込む処理を開始した時刻を示している。１度目のステップＳ３０９において所定情報が記憶部１０５に書き込まれた後、ステップＳ３１７が実行されるまでの間には、ステップＳ３１０、Ｓ３１１、Ｓ３１４〜Ｓ３１６、Ｓ３０２、Ｓ３０３およびＳ３０５〜Ｓ３０８が実行される。例えば、ＵＳＢ  Ｔｙｐｅ−Ｃ規格においては、ＣＣラインの電圧が中間電圧になってから９２５ｍｓｅｃ以内にＶＢＵＳラインに電力を供給することが規定されている。従って、１度目のステップＳ３０９の実行からステップＳ３１７の実行に至るまでの時間は、所定時間以下となる。従って、例えば、所定情報が記憶部１０５に書き込まれてからステップＳ３１７が実行されるまでの時間が所定時間以下である場合には、システム制御部１０４は、記憶部１０５に記憶されている所定情報が正当な所定情報であると判定する。例えば、所定情報が記憶部１０５に書き込まれてからステップＳ３１７が実行されるまでの時間が所定時間より大きい場合には、システム制御部１０４は、記憶部１０５に記憶されている所定情報が正当な所定情報でないと判定する。記憶部１０５に記憶されている所定情報が正当な所定情報である場合には、送電装置１２０Ａと電子機器１００とが例えば図２Ａに示すような接続状態で接続されていると考えられる（ステップＳ３１７でＹＥＳ）。この後、処理３００ＡはステップＳ３１８に進む。
【００６４】
記憶部１０５に記憶されている所定情報が正当な所定情報でない場合、処理３００ＡはステップＳ３０９に進む（ステップＳ３１７でＮＯ）。
【００６５】
ステップＳ３１８において、システム制御部１０４は、所定情報を記憶部１０５から消去する。この後、処理３００ＡはステップＳ３１９に進む。
【００６６】
ステップＳ３１９において、電子機器１００は、ＣＣライン１１２によって通知された給電能力に応じた電力を送電装置１２０Ａから受け取りながら動作する。ステップＳ３１９の実行が完了すると、図３Ａに示す処理３００Ａが終了する。
【００６７】
ステップＳ３２０において、システム制御部１０４は、送電装置１２０ＡがＵＳＢ  Ｔｙｐｅ−Ｃ規格に準拠していないと判定するとともに、所定情報を記憶部１０５から消去する。この後、処理３００ＡはステップＳ３２１に進む。
【００６８】
ステップＳ３２１において、システム制御部１０４は、スイッチ１０９を例えば開状態から閉状態に変化させることにより、ＣＣライン１１２および２０４の電圧を変化させる。上述したように、システム制御部１０４から例えばＨレベルの信号がスイッチ１０９に供給されている際には、スイッチ１０９は開状態となっている。システム制御部１０４から例えばＬレベルの信号がスイッチ１０９に供給されると、スイッチ１０９は閉状態となる。上述したように、送電装置１２０Ａの抵抗器２０２の抵抗値は例えば１０ｋΩであり、電子機器１００の抵抗器１１０の抵抗値は例えば５．１ｋΩである。上述したように、送電装置１２０Ａの抵抗器２０２は例えば５Ｖにプルアップされており、電子機器１００の抵抗器１１０は例えば接地電圧（接地ラインの電圧に相当）にプルダウンされている。システム制御部１０４からスイッチ１０９に供給される信号がＨレベルからＬレベルに変化すると、ＣＣライン１１２および２０４の電圧は５Ｖから１．６９Ｖに変化する。この後、処理３００ＡはステップＳ３２２に進む。
【００６９】
ステップＳ３２２において、電子機器１００は、ＣＣライン１１２によって通知された給電能力に応じた電力より低い電力を送電装置１２０Ａから受け取りながら動作する。ステップＳ３２２の実行が完了すると、図３Ａに示す処理３００Ａが終了する。
【００７０】
次に、図３Ｂを参照して、電子機器１００および送電装置１２０Ｂで行われる処理３００Ｂを説明する。
【００７１】
電子機器１００と送電装置１２０Ｂとが接続されているか否かにかかわらず、送電装置１２０Ｂは、ＶＢＵＳライン２２２に電力を供給する（ステップＳ３３１）。この後、送電装置１２０Ｂは、ＶＢＵＳライン２２２への電力の供給を継続する（ステップＳ３３２）。
【００７２】
一方、ステップＳ３０１において、送電装置１２０Ｂと電子機器１００とが接続ケーブル１３０Ｂを介して接続される。この後、処理３００ＢはステップＳ３０５に進む。
【００７３】
ステップＳ３０５からステップＳ３０９までの処理は、図３ＡにおけるステップＳ３０５からステップＳ３０９までの処理と同様であるため、それらの説明を省略する。
【００７４】
ステップＳ３１０において、システム制御部１０４は、スイッチ１０９を例えば閉状態から開状態に変化させる。図２Ｂに示すような接続においては、電子機器１００のＣＣライン１１２が送電装置１２０Ｂに接続されないため、送電装置１２０Ｂは、ＣＣライン１１２の電圧の変化を検出しない。このため、送電装置１２０Ｂは、ＶＢＵＳライン２２２への電力の供給を継続する。この後、処理３００ＢはステップＳ３１１に進む。
【００７５】
ステップＳ３１１において、電子機器１００は、所定時間のウェイトを行う。ステップＳ３１１において行われるウェイトは、図２Ａにおいて行われるウェイトと同様である。この後、処理３００ＢはステップＳ３１４に進む。
【００７６】
ステップＳ３１４において、システム制御部１０４は、ＶＢＵＳライン１１１に送電装置１２０Ｂから電力が供給されているか否かを判定する。上述したように、送電装置１２０Ｂは、ＶＢＵＳライン２２２への電力供給を継続している。このため、ステップＳ３１４においては、システム制御部１０４は、ＶＢＵＳライン１１１に送電装置１２０Ｂから電力が供給されていると判定する（ステップＳ３１４でＹＥＳ）。そして、処理３００ＢはステップＳ３２０に進む。
【００７７】
ステップＳ３２０において、システム制御部１０４は、所定情報を記憶部１０５から消去する。この後、処理３００ＢはステップＳ３２１に進む。
【００７８】
ステップＳ３２１において、システム制御部１０４は、スイッチ１０９を例えば開状態から閉状態に変化させる。
【００７９】
ステップＳ３２３において、電子機器１００は、送電装置１２０から電力を受け取る。送電装置１２０ＢがＵＳＢ  Ｂａｔｔｅｒｙ  Ｃｈａｒｇｉｎｇ規格において規定されたＤｅｄｉｃａｔｅｄ  Ｃｈａｒｇｉｎｇ  Ｐｏｒｔである場合には、例えば０．５〜１．５Ａの範囲でしか電力を供給できない。従って、システム制御部１０４は、例えばＤｅｄｉｃａｔｅｄ  Ｃｈａｒｇｉｎｇ  Ｐｏｒｔの給電能力の下限値である例えば０．５Ａを送電装置１２０Ｂから受け取るように、受電制御部１０２を制御する。ステップＳ３２３の実行が完了すると、図３Ｂに示す処理３００Ｂが終了する。
【００８０】
図４Ａは、図２Ａに示すような接続例におけるタイミングチャートを示している。図４Ｂは、図２Ｂに示すような接続例におけるタイミングチャートを示している。図４Ａおよび図４Ｂには、ＶＢＵＳライン１１１と、ＣＣライン１１２と、スイッチ１０９と、所定情報と、電子機器１００の電源状態とが示されている。
【００８１】
まず、図４Ａを参照して、図２Ａに示すような接続例におけるタイミングチャートを説明する。
【００８２】
タイミングＴ４０１において、送電装置１２０Ａと電子機器１００とが接続ケーブル１３０Ａを介して接続される。タイミングＴ４０１は、図３ＡにおけるステップＳ３０１に対応している。
【００８３】
タイミングＴ４０２において、ＣＣライン１１２および２０４の電圧が所定範囲内になる。送電装置１２０Ａは、ＣＣライン２０４の電圧が所定範囲内になったことを検出する。タイミングＴ４０２は、図３ＡにおけるステップＳ３０２に対応している。
【００８４】
タイミングＴ４０３において、送電装置１２０Ａから電子機器１００への電力の供給が開始される。電子機器１００は、送電装置１２０Ａからの電力の受け取りを開始する。タイミングＴ４０３は、図３ＡにおけるステップＳ３０５に対応している。電子機器１００の電源状態はオフ状態からオン状態に遷移する。
【００８５】
タイミングＴ４０４において、システム制御部１０４は、記憶部１０５に所定情報が記憶されているか否かを判定する。タイミングＴ４０４は、図３ＡにおけるステップＳ３０８に対応している。
【００８６】
記憶部１０５に所定情報が記憶されていないため、タイミングＴ４０５において、システム制御部１０４は、記憶部１０５に所定情報を書き込む。タイミングＴ４０５は、図３ＡにおけるステップＳ３０９に対応している。
【００８７】
タイミングＴ４０６において、システム制御部１０４は、スイッチ１０９を閉状態から開状態に切り替える。これにより、システム制御部１０４に接続されているＣＣライン１１２の電圧が接地電圧（接地ラインの電圧に相当）となる。タイミングＴ４０６は、図３ＡにおけるステップＳ３１０に対応している。
【００８８】
タイミングＴ４０７において、送電装置１２０Ａは、ＣＣライン２０４の電圧が所定範囲内であるか否かを判定する。具体的には、送電装置１２０Ａは、ＣＣライン２０４の電圧が、送電装置１２０Ａと電子機器１００との間の接続が解除された際の電圧に対応しているか否かを判定する。タイミングＴ４０７は、図３ＡにおけるステップＳ３１２に対応している。ＣＣライン２０４の電圧が所定範囲内となるため、送電装置１２０Ａは、ＶＢＵＳライン２０３への電力の供給を停止する。電子機器１００のＶＢＵＳライン１１１に送電装置１２０から電力が供給されないため、電子機器１００の電源状態は例えばオン状態からオフ状態に遷移する。
【００８９】
タイミングＴ４０８において、システム制御部１０４は、スイッチ１０９を開状態から閉状態に切り替える。タイミングＴ４０８は、図３ＡにおけるステップＳ３１６に対応している。
【００９０】
タイミングＴ４０９において、ＣＣライン１１２および２０４の電圧が所定範囲内になる。送電装置１２０Ａは、ＣＣライン２０４の電圧が所定範囲内になったことを検出する。タイミングＴ４０９は、図３ＡにおけるステップＳ３０２に対応している。
【００９１】
タイミングＴ４１０において、送電装置１２０Ａは電子機器１００への電力の供給を再開する。タイミングＴ４１０は、図３ＡにおけるステップＳ３０３に対応している。電子機器１００は、送電装置１２０Ａからの電力の受け取りを再開する。そして、電子機器１００の電源状態はオフ状態からオン状態に遷移する。
【００９２】
タイミングＴ４１１において、システム制御部１０４は、記憶部１０５に所定情報が記憶されているか否かを判定する。タイミングＴ４１１は、図３ＡにおけるステップＳ３０８に対応している。記憶部１０５には、所定情報が記憶されている。
【００９３】
タイミングＴ４１２において、システム制御部１０４は、記憶部１０５に記憶されている所定情報が正当な所定情報であるか否かを判定する。タイミングＴ４１２は、図３ＡにおけるステップＳ３１７に対応している。記憶部１０５に記憶されている所定情報が正当な所定情報であるため、システム制御部１０４は、所定情報を記憶部１０５から消去する。
【００９４】
この後、電子機器１００は、ＣＣライン１１２によって通知された給電能力に応じた電力を送電装置１２０Ａから受け取りながら動作を継続する。こうして、図４Ａに示すような動作が行われる。
【００９５】
次に、図４Ｂを参照して、図２Ｂに示すような接続例におけるタイミングチャートを説明する。
【００９６】
タイミングＴ４０１において、送電装置１２０Ｂと電子機器１００とが接続ケーブル１３０Ｂを介して接続される。タイミングＴ４０１は、図３ＢにおけるステップＳ３０１に対応している。
【００９７】
電子機器１００と送電装置１２０Ｂとが接続されているか否かにかかわらず、送電装置１２０Ｂは電子機器１００に電力を供給する。このため、タイミングＴ４０３において、ＶＢＵＳライン１１１には電力が供給される。電子機器１００は、送電装置１２０Ｂからの電力の受け取りを開始する。そして、電子機器１００の電源状態はオフ状態からオン状態に遷移する。タイミングＴ４０３は、図３ＢにおけるステップＳ３０５に対応している。タイミングＴ４０３において、ＣＣライン１１２および２０４の電圧が所定範囲内になる。電子機器１００は、ＣＣライン１１２の電圧が所定範囲内になったことを検出する。
【００９８】
タイミングＴ４０４において、システム制御部１０４は、記憶部１０５に所定情報が記憶されているか否かを判定する。タイミングＴ４０４は、図３ＢにおけるステップＳ３０８に対応している。
【００９９】
記憶部１０５に所定情報が記憶されていないため、タイミングＴ４０５において、システム制御部１０４は、記憶部１０５に所定情報を書き込む。タイミングＴ４０５は、図３ＢにおけるステップＳ３０９に対応している。
【０１００】
タイミングＴ４０６において、システム制御部１０４は、スイッチ１０９を閉状態から開状態に切り替える。これにより、ＣＣライン１１２の電圧が接地電圧（接地ラインの電圧に相当）に変化する。タイミングＴ４０６は、図３ＢにおけるステップＳ３１０に対応している。この後も、電子機器１００から送電装置１２０に電力の供給が継続されるため、電子機器１００はオン状態が維持される。
【０１０１】
タイミングＴ４１３において、システム制御部１０４は、所定情報を記憶部１０５から消去する。タイミングＴ４１３は、図３ＢにおけるステップＳ３２０に対応している。
【０１０２】
タイミングＴ４１４において、システム制御部１０４は、スイッチ１０９を開状態から閉状態に切り替える。タイミングＴ４１４は、図３ＢにおけるステップＳ３２１に対応している。
【０１０３】
この後、電子機器１００は送電装置１２０Ｂから受け取りながら動作を継続する。上述したように、送電装置１２０ＢがＵＳＢ  Ｂａｔｔｅｒｙ  Ｃｈａｒｇｉｎｇ規格において規定されたＤｅｄｉｃａｔｅｄ  Ｃｈａｒｇｉｎｇ  Ｐｏｒｔである場合には、例えば０．５Ａ〜１．５Ａの範囲でしか電力を供給できない。従って、電子機器１００は、例えばＤｅｄｉｃａｔｅｄ  Ｃｈａｒｇｉｎｇ  Ｐｏｒｔの給電能力の下限値である例えば０．５Ａを送電装置１２０Ｂから受け取りながら動作する。こうして、図４Ｂに示すような動作が行われる。
【０１０４】
このように、実施形態１によれば、スイッチ１０９を閉状態から開状態に変化させる前に所定情報を記憶部１０５に記憶しておく。スイッチ１０９を閉状態から開状態に変化させてから所定時間が経過した際においても送電装置１２０から電力が供給されている場合、システム制御部１０４は、以下のような処理を行う。例えば、システム制御部１０４は、送電装置１２０が所定規格に準拠していないと判定するとともに、所定情報を記憶部１０５から消去する。送電装置１２０から電力の供給が再開された際に記憶部１０５に所定情報が記憶されている場合、システム制御部１０４は、送電装置１２０が所定規格に準拠していると判定し、所定情報を記憶部１０５から消去する。さらに、実施形態１によれば、スイッチ１０９を閉状態から開状態に変化させることにより送電装置１２０から電子機器１００への電力の供給が停止されたことが、記憶部１０５に所定情報が記憶されているか否かに基づいて判定される。このため、実施形態１によれば、送電装置の種別を適切に判定することができる。
【０１０５】
なお、本発明の実施形態は上述した実施形態１に限定されるものではない。発明の要旨を逸脱しない範囲で変更または修正された実施形態１も本発明の実施形態に含まれる。
【０１０６】
［実施形態２］
実施形態１で説明した様々な機能、処理または方法は、パーソナルコンピュータ、マイクロコンピュータ、ＣＰＵ（Ｃｅｎｔｒａｌ  Ｐｒｏｃｅｓｓｉｎｇ  Ｕｎｉｔ）、プロセッサなどがプログラムを用いて実現することもできる。以下、実施形態２では、パーソナルコンピュータ、マイクロコンピュータ、ＣＰＵ（Ｃｅｎｔｒａｌ  Ｐｒｏｃｅｓｓｉｎｇ  Ｕｎｉｔ）、プロセッサなどを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【０１０７】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態２におけるコンピュータ読み取り可能な記憶媒体は、ｎｏｎ−ｔｒａｎｓｉｔｏｒｙな記憶媒体である。
【０１０８】
なお、本発明の実施形態は上述した実施形態２に限定されるものではない。発明の要旨を逸脱しない範囲で変更または修正された実施形態２も本発明の実施形態に含まれる。
【符号の説明】
【０１０９】
１００  電子機器
１２０、１２０Ａ、１２０Ｂ  送電装置（外部装置）
１３０、１３０Ａ、１３０Ｂ  接続ケーブル
【図１】
2020067918.tif 000003
【図２Ａ】
2020067918.tif 000004
【図２Ｂ】
2020067918.tif 000005
【図３Ａ】
2020067918.tif 000006
【図３Ｂ】
2020067918.tif 000007
【図４Ａ】
2020067918.tif 000008
【図４Ｂ】
2020067918.tif 000009
【図５】
2020067918.tif 000010